【手続補正書】
【提出日】平成25年3月27日(2013.3.27)
【手続補正１】
【補正対象書類名】特許請求の範囲
【補正対象項目名】全文
【補正方法】変更
【補正の内容】
【特許請求の範囲】
【請求項１】
物品を搬送する搬送ローラであって、
軸と、
前記軸上のコイルと、
を含み、前記コイルが可撓性中央部を含み、前記コイルが、前記可撓性中央部の２つの対向する側部において前記軸に取り付ける第１端部及び第２端部を含む、
ローラ。
【請求項２】
長手方向に調整可能な固定具によって、前記第１端部及び前記第２端部を前記軸に取り付ける、請求項１に記載のローラ。
【請求項３】
前記第１端部及び前記第２端部を囲む環状部品を有する固定具によって、前記第１端部及び前記第２端部を前記軸に取り付ける、請求項１又は２に記載のローラ。
【請求項４】
前記コイルが線バネを含む、請求項１から３のいずれか一項に記載のローラ。
【請求項５】
前記コイルが前記可撓性中央部の前記２つの対向する側部に第１テーパ形状部と第２テーパ形状部をさらに含み、前記第１テーパ形状部と前記第２テーパ形状部が、前記第１端部と前記第２端部に前記可撓性中央部をつなぎ、前記可撓性中央部が前記軸の外径より大きい内径を有し、前記可撓性中央部が、前記第１端部の第１外径と前記第２端部の第２外径の両外径より大きい外径を有する、請求項１から４のいずれか一項に記載のローラ。
【請求項６】
前記コイルが導電性である、請求項１から５のいずれか一項に記載のローラ。
【請求項７】
電流源及び電流シンクのうちの１つに前記コイルを電気的に連結する、請求項６に記載のローラ。
【請求項８】
前記コイルが非導電性である、請求項１から５のいずれか一項に記載のローラ。
【請求項９】
前記可撓性中央部が、前記ローラを用いて搬送する物品より小さい幅寸法を有する、請求項１から８のいずれか一項に記載のローラ。
【請求項１０】
前記可撓性中央部が３つ以上の離散接触領域を含み、前記可撓性中央部が、前記可撓性中央部の離散接触領域の数を調整するよう、長手方向に調整可能な固定具をさらに含む、請求項１から９のいずれか一項に記載のローラ。
【請求項１１】
前記軸上に各々存在する１つ以上の第２のコイルをさらに含み、前記１つ以上の第２のコイルのうちの少なくとも１つが第２の可撓性中央部を含む、請求項１から１０のいずれか一項に記載のローラ。
【請求項１２】
前記コイルと前記１つ以上の第２のコイルのうちの少なくとも１つとの間の長手方向の距離が調整可能である、請求項１１に記載のローラ。
【請求項１３】
前記コイルを前記軸に取外し可能に取り付ける、請求項１から１２のいずれか一項に記載のローラ。
【請求項１４】
搬送装置であって、
フレームと、
前記フレームに離間して回転可能に搭載した複数の搬送ローラと、
を含み、前記複数の搬送ローラのうちの少なくとも１つの搬送ローラが、
軸と、
前記軸上のコイルと、
を含み、前記コイルが可撓性中央部を含み、前記コイルが、前記可撓性中央部の２つの対向する側部において前記軸に取り付ける第１端部及び第２端部を含む、
搬送装置。
【請求項１５】
前記コイルが導電性である、請求項１４に記載の搬送装置。
【請求項１６】
電流源及び電流シンクのうちの１つに前記コイルを電気的に連結する、請求項１５に記載の搬送装置。
【請求項１７】
前記コイルが非導電性である、請求項１４に記載の搬送装置。
【請求項１８】
前記可撓性中央部が３つ以上の離散接触領域を含み、前記可撓性中央部が、前記可撓性中央部の離散接触領域の数を調整するよう、長手方向に調整可能な固定具をさらに含む、請求項１４から１７のいずれか一項に記載の搬送装置。
【請求項１９】
前記軸上に各々存在する１つ以上の第２のコイルをさらに含み、前記１つ以上の第２のコイルのうちの少なくとも１つが第２の可撓性中央部を含む、請求項１４から１８のいずれか一項に記載の搬送装置。
【請求項２０】
第２の軸上に各々存在する１つ以上の第２のコイルをさらに含み、前記１つ以上の第２のコイルのうちの少なくとも１つが第２の可撓性中央部を含む、請求項１４から１９のいずれか一項に記載の搬送装置。
【請求項２１】
搬送装置を提供することであって、
前記搬送装置が、フレームと、前記フレームに離間して回転可能に搭載した複数の搬送ローラとを含み、前記複数の搬送ローラのうちの少なくとも１つの搬送ローラが、軸と、前記軸上のコイルとを含み、前記コイルが可撓性中央部を含み、前記コイルが、前記可撓性中央部の２つの対向する側部において前記軸に取り付ける第１端部及び第２端部を含む、前記搬送装置を提供することと、
前記搬送ローラを用いて物品を搬送することと、
を含む方法。
【請求項２２】
前記コイルが導電性である、請求項２１に記載の方法。
【請求項２３】
電流源及び電流シンクのうちの１つに前記コイルを電気的に連結する、請求項２２に記載の方法。
【請求項２４】
前記コイルが非導電性である、請求項２１に記載の方法。
【請求項２５】
前記可撓性中央部が３つ以上の離散接触領域を含み、前記可撓性中央部の離散接触領域の数を調整するよう、長手方向に調整可能な固定具を前記搬送装置がさらに含む、請求項２１から２４のいずれか一項に記載の方法。
【請求項２６】
前記軸上に各々存在する１つ以上の第２のコイルを前記搬送装置がさらに含み、前記１つ以上の第２のコイルのうちの少なくとも１つが第２の可撓性中央部を含む、請求項２１から２５のいずれか一項に記載の方法。
【請求項２７】
第２の軸上に各々存在する１つ以上の第２のコイルを前記搬送装置がさらに含み、前記１つ以上の第２のコイルのうちの少なくとも１つが第２の可撓性中央部を含む、請求項２１から２６のいずれか一項に記載の方法。
【請求項２８】
前記フレームに取り付けた流体容器を提供することをさらに含み、前記中央部が前記物品の浮遊に抗して、前記ローラが前記物品と接触している間に前記流体容器内の流体中への前記物品の侵入を促す、請求項２１から２７のいずれか一項に記載の方法。
【請求項２９】
請求項２１から２８のいずれか一項に記載の前記方法を使用して製造した製品。
【請求項３０】
請求項２１から２９のいずれか一項に記載の前記方法を使用して製造したソーラーパネル。
【請求項３１】
搬送ローラであって、
軸と、
前記軸上のコイルであって、前記コイルが可撓性中央部を含み、前記コイルが、前記可撓性中央部の２つの対向する側部において前記軸に取り付ける第１端部及び第２端部を含む、前記コイルと、
前記コイルの前記可撓性中央部に電気的に接続する、電流源又は電流シンクのうちの１つと、
を含むローラ。
【請求項３２】
前記可撓性中央部が３つ以上の離散接触領域を含み、前記３つ以上の離散接触領域の各々が、前記電流源及び前記電流シンクのうちの１つに電気的に接続する、請求項３１に記載のローラ。
【請求項３３】
前記電流源及び前記電流シンクのうちの１つが、直流（ＤＣ）電流源又は電流シンクである、請求項３１又は３２に記載のローラ。
【請求項３４】
物品を搬送する方法であって、
軸上にコイルを備えることであって、前記コイルが可撓性中央部を含むと共に、前記可撓性中央部の２つの対向する側部において前記軸に取り付ける第１端部及び第２端部を含む、前記軸上にコイルを備えることと、
前記コイルの前記中央部との摩擦接点に前記物品を配置することと、
前記中央部が、前記摩擦接点を通して前記物品に１つ以上の力をかけるよう前記軸を回転させることであって、前記１つ以上の力のうちの少なくとも１つの力が搬送方向の力である、前記軸を回転させることと、
を含む方法。
【請求項３５】
前記可撓性中央部が、電流源又は電流シンクのうちの１つに電気的に接続する、請求項３４に記載の方法。
【請求項３６】
前記電流源又は前記電流シンクのうちの１つが、直流（ＤＣ）電流源又は電流シンクである、請求項３４又は３５に記載の方法。
【請求項３７】
前記可撓性中央部が３つ以上の離散接触領域を含み、前記３つ以上の離散接触領域の各々が、前記電流源及び前記電流シンクのうちの１つに電気的に接続する、請求項３３から３６のいずれか一項に記載の方法。
【請求項３８】
前記第１端部に取り付けた長手方向に調整可能な固定具を用いて、前記接触領域の数を調整することをさらに含む、請求項３７に記載の方法。
【請求項３９】
軸に取り付けた可撓性中央部を含む搬送ローラと、
電流源及び電流シンクのうちの１つと、
を含み、前記電流源及び前記電流シンクのうちの１つが前記可撓性中央部に電気的に接続する、電気メッキ及び搬送アセンブリ。
【請求項４０】
前記可撓性中央部が３つ以上の離散接触領域を含み、前記３つ以上の離散接触領域の各々が、前記電流源及び前記電流シンクのうちの１つに電気的に接続する、請求項３９に記載のアセンブリ。
【請求項４１】
前記電流源及び前記電流シンクのうちの１つが、直流（ＤＣ）電流源又は電流シンクである、請求項３９又は４０に記載のアセンブリ。
【手続補正２】
【補正対象書類名】明細書
【補正対象項目名】００６９
【補正方法】変更
【補正の内容】
【００６９】
図６は、物品に処理を施す槽中に、そして槽外へと上部ローラグループと下部ローラグループで物品を搬送する一例の構成を示す。図６は、略平らな上面と下面の２面を含む物品５１を搬送軌道６０５に沿って複数のローラグループ１２１及び１２３を通して搬送するインラインプロセスの一部の例示している。一実施形態では、軌道６０５の接線が搬送方向５５である。搬送軌道６０５の一部では物品５１を槽６０１中に入れる。一部の実施形態において、槽６０１内には処理剤６０３が入っており、処理剤は流体、液体、気体、プラズマ、又はイオン処理剤であり得る。
【手続補正３】
【補正対象書類名】図面
【補正対象項目名】図２Ｃ
【補正方法】変更
【補正の内容】
【図２Ｃ】
2012528058.tif 000001